(57)【要約】【課題】遊技場のレイアウトの変更を容易かつ柔軟に対応でき、またレイアウト変更に係る時間や費用も抑えることができる遊技機島を提供する。【解決手段】本発明に係る遊技機島は、遊技機を載置する複数の遊技機島ユニットが隣接して配列される遊技機島であって、前記遊技機島ユニットは、遊技場床に起立固定された第一の柱と、該第一の柱から前記配列の長手方向に離間して前記遊技場床に起立固定された第二の柱と、前記第一の柱と前記第二の柱の間に配置されるユニットと、前記第一の柱および前記第二の柱にそれぞれ固定される蝶番と、を備え、前記蝶番は、第一の蝶番と第二の蝶番を含み、前記第一の蝶番は、前記第一の柱に一方の羽根が固定され、前記第二の蝶番は、前記第二の柱に一方の羽根が固定され、前記ユニットは、前記長手方向の両端部がそれぞれ、前記第一の蝶番の他方の羽根と、前記第二の蝶番の他方の羽根とに固定されることを特徴とする、遊技機島である。【選択図】図２
2015047188.tif 000002
【特許請求の範囲】
【請求項１】
遊技機を載置する複数の遊技機島ユニットが隣接して配列される遊技機島であって、
前記遊技機島ユニットは、
遊技場床に起立固定された第一の柱と、
該第一の柱から前記配列の長手方向に離間して前記遊技場床に起立固定された第二の柱と、
前記第一の柱と前記第二の柱の間に配置されるユニットと、
前記第一の柱および前記第二の柱にそれぞれ固定される蝶番と、
を備え、
前記蝶番は、第一の蝶番と第二の蝶番を含み、
前記第一の蝶番は、前記第一の柱に一方の羽根が固定され、
前記第二の蝶番は、前記第二の柱に一方の羽根が固定され、
前記ユニットは、前記長手方向の両端部がそれぞれ、前記第一の蝶番の他方の羽根と、前記第二の蝶番の他方の羽根とに固定されることを特徴とする、
遊技機島。
【請求項２】
前記ユニットは、上部ユニットおよび下部ユニットを含み、
前記蝶番は、第三の蝶番と第四の蝶番を含み、
前記第一の蝶番は、前記第一の柱の下部に前記一方の羽根が固定され、
前記第二の蝶番は、前記第二の柱の下部に前記一方の羽根が固定され、
前記第三の蝶番は、前記第一の柱の上部に前記一方の羽根が固定され、
前記第四の蝶番は、前記第二の柱の上部に前記一方の羽根が固定され、
前記下部ユニットは、前記長手方向の両端部がそれぞれ前記第一の蝶番の他方の羽根と、前記第二の蝶番の他方の羽根に固定され、
前記上部ユニットは、前記長手方向の両端部がそれぞれ前記第三の蝶番の他方の羽根と、前記第四の蝶番の他方の羽根に固定されることを特徴とする、
請求項１に記載の遊技機島。
【請求項３】
前記蝶番は、少なくとも前記他方の羽根が前記第一の柱の起立方向に長い長蝶番であり、該他方の羽根は、前記起立方向に沿って複数の位置決め部を有することを特徴とする、
請求項１または請求項２に記載の遊技機島。
【請求項４】
前記下部ユニットは腰板を含み、該腰板は前記両端部に位置決め孔が設けられることを特徴とする、
請求項２または請求項３のいずれかに記載の遊技機島。
【請求項５】
前記上部ユニットは前記両端部にそれぞれ縦材を含み、該縦材には、前記第一の柱の起立方向に沿って連続する位置決め溝が設けられることを特徴とする、
請求項２から請求項４のいずれかに記載の遊技機島。
【請求項６】
前記長手方向において隣り合う前記複数の遊技機島ユニットの少なくとも一部が互いに屈曲して配置されることを特徴とする、
請求項１から請求項５のいずれかに記載の遊技機島。
【請求項７】
前記ユニットを構成する横材は、直線状または平板状であることを特徴とする、
請求項１から請求項６のいずれかに記載の遊技機島。
【発明の詳細な説明】
【技術分野】
【０００１】
本発明は、パチンコ機などの遊技機を列設して支持する遊技機島に関する。
【背景技術】
【０００２】
遊技店には、パチンコ機等の遊技機を複数列設するように支持した遊技機島が設置されている。そして、近年では、遊技店内における遊技機の配置に変化を持たせるため、遊技機（遊技機の前面）の並びが横一列の平面状（直線状）ではなく、湾曲面状（曲線状）となるように遊技機を支持できる遊技機島が開発されている（例えば、特許文献１参照）。
【０００３】
例えば、特許文献１には、遊技機が曲線に沿って配列される遊技機島（以下、これをＲ島という場合がある）を構築するための土台下構造であって、それぞれが曲線に沿う形状の複数の土台下ユニットを配列した遊技機島が開示されている。また、土台下ユニットの部品として、外周端と内周端で曲率中心が一致し且つ曲率半径の異なる円弧状にカットされた板材を用いることが開示されている。
【先行技術文献】
【特許文献】
【０００４】
【特許文献１】特許第４４２３７４１号公報
【発明の概要】
【発明が解決しようとする課題】
【０００５】
しかしながら、上記の特許文献１に記載のように、遊技機島の構成部品の少なくとも一部を、Ｒ島の曲線に沿う湾曲形状に成形する場合、直線状の板材を用いる場合と比較して、部品の加工費用や加工時間、あるいは湾曲した複数の部品の組み立ての時間が掛かるといった問題があった。
【０００６】
また、遊技場のレイアウトを変更する場合、特に、Ｒ島の湾曲形状（その曲率）を変更する場合には、遊技機島の構成部品を作成（成形）し直さなければならず、レイアウト変更が困難であるといった問題もあった。
【０００７】
また、従来のＲ島の柱構造では、湾曲形状の曲率半径に沿うように、ある決まった角度で構成部品を支持・固定できる柱が用いられおり、Ｒ島の曲率半径が決定しないと柱を製作することができなかった。また、そのようにして製作された柱は、Ｒ島の曲率半径が変化した場合には、採用することができず、Ｒ島の曲率半径に応じてその都度準備する必要があり、在庫として確保しておくことが困難であった。
【０００８】
本発明は、このような従来の課題を解決するためになされたものであって、遊技場のレイアウト変更を容易かつ柔軟に対応でき、またレイアウト変更に係る時間や費用も抑えることができる遊技機島を提供することを目的とする。
【課題を解決するための手段】
【０００９】
本発明に係る遊技機島は、遊技機を載置する複数の遊技機島ユニットが隣接して配列される遊技機島であって、前記遊技機島ユニットは、遊技場床に起立固定された第一の柱と、該第一の柱から前記配列の長手方向に離間して前記遊技場床に起立固定された第二の柱と、前記第一の柱と前記第二の柱の間に配置されるユニットと、前記第一の柱および前記第二の柱にそれぞれ固定される蝶番と、を備え、前記蝶番は、第一の蝶番と第二の蝶番を含み、前記第一の蝶番は、前記第一の柱に一方の羽根が固定され、前記第二の蝶番は、前記第二の柱に一方の羽根が固定され、前記ユニットは、前記長手方向の両端部がそれぞれ、前記第一の蝶番の他方の羽根と、前記第二の蝶番の他方の羽根とに固定されることを特徴とする、遊技機島である。
【発明の効果】
【００１０】
本発明に係る遊技機島によれば、略曲面状に配列された遊技機島を容易に構成することができる。
【図面の簡単な説明】
【００１１】
【図１】（ａ）本実施形態に係る遊技機島の概要を示す外観図である。（ｂ）本実施形態に係る遊技機島の概要を示す上面図である。
【図２】（ａ）本実施形態に係る遊技機島の正面図である。（ｂ）本実施形態に係る遊技機島の背面図である。
【図３】（ａ）本実施形態に係る柱を遊技場床に設置した状態を示す正面図である。（ｂ）中島の柱の設置状態を示す上面図である。
【図４】（ａ）本実施形態に係る柱の正面図である。（ｂ）本実施形態に係る柱の側面図である。（ｃ）、（ｄ）本実施形態に係る柱の上面図である。
【図５】（ａ）本実施形態に係る蝶番が柱に固定された状態を示す正面図である。（ｂ）〜（ｄ）柱に固定された蝶番の上面図である。
【図６】（ａ）下部ユニットの固定の様子を示す背面図である。（ｂ）上部ユニットの固定の様子を示す背面図である。
【図７】（ａ）従来の柱構造を示す上面概要図である。（ｂ）本実施形態に係る柱構造を示す上面概要図である。
【図８】（ａ）本実施形態に係る補強材を説明するための上面図である。（ｂ）、（ｃ）本実施形態に係る補強材を説明するための外観斜視図である。
【図９】（ａ）本実施形態に係る補強材を説明するための上面図である。（ｂ）、（ｃ）本実施形態に係る補強材を説明するための外観斜視図である。
【図１０】本実施形態に係る遊技機島の設置用法を説明する図である。
【図１１】本実施形態に係る遊技機島の設置用法を説明する図である。
【発明を実施するための形態】
【００１２】
以下、図面を用いて、本発明の実施形態に係る遊技機島１０について詳細に説明する。
【００１３】
＜遊技機島＞
図１を用いて、本発明の実施形態に係る遊技機島１０について説明する。なお、図１は、遊技店内において遊技機を支持する遊技機島１０の概略図であり、図１（ａ）が外観図であり、図１（ｂ）が上面図である。
【００１４】
図１に示すように、本実施形態の遊技機島１０は、遊技機Ｍを載置する複数の遊技機島ユニット１２が隣接して配列されたものであり、遊技機Ｍを略曲線状に配列することが可能な遊技機島（Ｒ島）である。なお、ここでは、湾曲した一部分の遊技機島１０を示しているが、同等の曲率を維持しつつ遊技機島ユニット１２の配列を長手方向Ｌに増加させ、あるいは、湾曲方向が交互になるように配列させることで、半円弧状や、略Ｓ字状を描くような遊技機島１０を構成することができる。
【００１５】
遊技機島１０は、通常、同図に示すように２列に配置して構成される。つまり、複数の遊技機島ユニット１２の一部によって第１の遊技機島ユニット列１２Ａが構成され、複数の遊技機島ユニット１２の他の一部により第２の遊技機島ユニット列１２Ｂが構成されており、第１の遊技機島ユニット列１２Ａと第２の遊技機島ユニット列１２Ｂとは載置する遊技機Ｍが背面対向（背向）するように、短手方向Ｓにおいて隣り合って配置されている。遊技者Ｕは、遊技機島１０の内周側と外周側において、それぞれ遊技機Ｍを操作する。以下の説明においては、同図に示すように遊技機Ｍを背面対向（背向）させて遊技機島ユニット列を２列に配置し、遊技場の中程部分に配設する遊技機島１０を中島といい、遊技場の壁際に遊技機Ｍを一列に配置して構成する遊技機島１０を壁島という。本実施形態の遊技機島１０は、中島および壁島の何れにも適用可能であるが、以下の説明では、中島の場合を例に説明する。
【００１６】
＜遊技機島ユニット＞
図２を参照して、本実施形態の遊技機島ユニット１２について説明する。同図（ａ）は、１つの遊技機島ユニット１２、および複数の遊技機島ユニット１２を連結した状態を示す正面図であり、同図（ｂ）は、同図（ａ）の背面図である。
【００１７】
本実施形態の遊技機島ユニット１２は、遊技機島１０における遊技機Ｍの載置領域の１単位である。遊技機島ユニット１２は、２本の柱１４（第１の柱１４Ａ、第２の柱１４Ｂ）と、複数の蝶番１６（第１の蝶番１６Ａ、第２の蝶番１６Ｂ、第３の蝶番１６Ｃ，第４の蝶番１６Ｄ）と、上部ユニット１８と、下部ユニット２０と、を有する。そして、第１の柱１４Ａ、第２の柱１４Ｂ、上部ユニット１８および下部ユニット２０によって区画された領域が、遊技機Ｍの載置領域となる。つまり上部ユニット１８は遊技機Ｍの載置領域の上方に配置され、下部ユニット２０は遊技機Ｍの載置領域の下方に配置される。ここでは一例として、１つの遊技機島ユニット１２に１つの遊技機Ｍを載置する場合を例に説明するが、１つの遊技機島ユニット１２に複数の遊技機Ｍを載置するものであってもよい。
【００１８】
＜上部ユニット＞
上部ユニット１８は、第１の横材（天板）１８０と、第２の横材（棚天板）１８２と、第３の横材（棚地板）１８４と、左右の縦材１８６などを含んで構成され、第１の柱１４Ａと第２の柱１４Ｂの上方に固定される。なお、ここでの図示は省略するが、上部ユニット１８の前面側には、幕板が設けられる。
【００１９】
天板１８０は縦材１８６の上端に、棚天板１８２は、縦材１８６の中段に、棚地板１８４は縦材１８６の下端に位置するように固定されている。左右の縦材１８６の背面側には、柱１４の起立方向に沿って連続する位置決め溝１９４が設けられている。位置決め溝１９４については、後述する。また、棚天板１８２と棚地板１８４の間には、これらと平行に棚板１８８が設けられる（同図（ｂ））。棚板１８８は、棚天板１８２と棚地板１８４よりも前面側に突出している。棚板１８８と棚地板１８４の間の前面側には、棚板１８８と棚地板１８４の空間を覆うように前面板１９０が設けられている（同図（ａ））。これらの各部材は集成材等からなっている。また、これらの各部材の形状は、遊技機島１０の長手方向Ｌにおいて直線状または平板状である（図１（ｂ）参照）。上部ユニット１８の背面側には、遊技機Ｍに対して遊技媒体を補給する補給樋（不図示）が配置される。尚、ここでは上部ユニット１８の構成の一例を示すものであり、遊技機島ユニット１２において遊技機Ｍの載置領域の上端側を区画し、またその背面に補給樋が配置可能な構成であれば、図示の構成に限らない。
【００２０】
＜下部ユニット＞
下部ユニット２０は、腰板２０２、ひな壇ユニット２０４などの横材を含んで構成され、第１の柱１４Ａと第２の柱１４Ｂの下方に固定される。ひな檀ユニット２０４は、柱１４に固定されて遊技機Ｍを載置するひな壇２０８と、ひな壇２０８の前側端部に取り付けられた膳板２０６から構成してある。なお、膳板２０６は、ひな檀２０８に別途取り付けることができるものであり、図２（ａ）以外の図面では膳板２０６の図示を省略している。膳板２０６は、その上に球箱や、遊技者の私物（タバコ、携帯電話、ペットボトルなど）を配置できる。腰板２０２とひな檀ユニット２０４（ひな檀２０８）は、それぞれ柱１４に支持・固定される。腰板２０２およびひな檀ユニット２０４等を構成する部材の形状は、遊技機島１０の長手方向Ｌにおいて直線状または平板状である（図１（ｂ）参照）。なお、ひな檀２０８および膳板２０６は遊技機島１０の上面視において矩形状（角丸矩形状）に切り出された板材等で構成されるが、Ｒ島の場合には、ひな檀２０８および膳板２０６の長手方向Ｌの両端部を斜めに切り落とし、遊技機島１０の上面視において台形状となるように構成してもよい。このようにすることで、長手方向Ｌで隣り合うひな檀ユニット２０４間の離間部分を少なくし、Ｒ島の湾曲に沿わせやすくすることができる。下部ユニット２０の背面側には、遊技機Ｍから排出された遊技媒体を回収する回収樋（不図示）が配置される。尚、ここでは下部ユニット２０の構成の一例を示すものであり、遊技機島ユニット１２において遊技機Ｍの載置領域の下端側を区画し、またその背面に回収樋が配置可能な構成であれば、図示の構成に限らない。
【００２１】
柱１４にはそれぞれ、上方と下方に蝶番１６が取り付けられている。上部ユニット１８と下部ユニット２０はそれぞれ、蝶番１６に固定されている。
【００２２】
＜柱構造＞
図３および図４を参照して、本実施形態の柱構造について説明する。図３は、複数本の柱１４を遊技場の床面に固定した状態を示す図であり、同図（ａ）が１つの列の正面図であり、同図（ｂ）が２列配置の（中島の）上面図である。なお、同図（ｂ）においては柱の１４のみを示している。また図４は、１本の柱１４の外観図であり、同図（ａ）は正面図、同図（ｂ）は側面図、同図（ｃ）は同図（ａ）（ｂ）の上面図であり、同図（ｄ）は柱１４部分のみの上面図である。
【００２３】
図３に示すように、第１の柱１４Ａと第２の柱１４Ｂは、それぞれ遊技場床に起立固定され、両者は遊技機島１０の列の長手方向Ｌにおいて離間して配置される。第１の柱１４Ａと第２の柱１４Ｂは、それぞれ、棒状（角柱状）の縦柱である。ここでは、説明の便宜上、１つの遊技機島ユニット１２を構成する２本の柱１４を第１の柱１４Ａ、第２の柱１４Ｂと別称している。しかし、第１の柱１４Ａと第２の柱１４Ｂは構成上の差異はなく、両者を区別する必要が無い場合は柱１４と総称する。
【００２４】
それぞれの柱１４は、遊技機島１０の長手方向Ｌの並びにおいても短手方向Ｓ（遊技機島１０の幅方向）の並びにおいても、互いに直接的に連結されておらず、遊技場床に固定されたベース部材５０にそれぞれ独立して支持・固定される。
【００２５】
図４に示すように、柱１４は、金属（例えば、鉄など）の２枚の薄板をそれぞれコの字状に折り曲げて互いに噛合わせた空洞の四角柱であり、上下対称かつ左右対称の形状を有している（同図（ｄ））。そして柱１４にはそれぞれ、上方と下方に蝶番１６が取り付けられている。第１の柱１４Ａは、その下方の第１の面に第１の蝶番１６Ａが固定され、第２の柱１４Ｂは、その下方の第２の面（第１の柱１４Ａに隣り合う面）に第２の蝶番１６Ｂが固定される。また、第１の柱１４Ａは、その上方の第１の面に第３の蝶番１６Ｃが固定され、第２の柱１４Ｂは、その上方の第２の面に第４の蝶番１６Ｄが固定される。第１の蝶番１６Ａ、第２の蝶番１６Ｂ、第３の蝶番１６Ｃおよび第４の蝶番１６Ｄは、それぞれ柱１４の起立方向に長い長蝶番である。柱１４と同様に、ここでは説明の便宜上、第１の蝶番１６Ａ、第２の蝶番１６Ｂ、第３の蝶番１６Ｃおよび第４の蝶番１６Ｄを別称としているが、構成上の差異はなく、これらを区別する必要が無い場合は蝶番１６と総称する。
【００２６】
また、柱１４には、下方の蝶番１６の上端付近に、ひな檀ユニット２０４を支持・固定する膳板支持部材２１０が設けられている。
【００２７】
再び図３を参照して、１つの遊技機島ユニット１２は、２本の柱１４で構成されるが、２つの遊技機島ユニット１２を隣接して配置した場合、これらを結合する柱１４は１本の柱１４が２つの遊技機島ユニット１２で共用される。具体的には、隣接する２つの遊技機島ユニット１２は、３本の柱１４と、２つの上部ユニット１８と、２つの下部ユニット２０と、により構成され、３本の柱１４の中央の柱１４は、２つの遊技機島ユニット１２で共用される。すなわち、図３の如く、遊技機島１０の長手方向の両端部を除き、各柱１４は、角柱の対向する両側面に、それぞれ蝶番１６が固定されている。
【００２８】
ベース部材５０は、固定部５２と柱受け部５４と支持部５６を有しており、固定部５２が遊技場床に設置されてボルトなどによって固定される。支持部５６は固定部５２から柱１４の起立方向に起立した板部材である。柱受け部５４は、柱１４の下端が挿入されて柱１４を下から保持する。柱受け部５４は、支持部５６に対して高さの微調整が可能となっており、高さを調節した後にボルトなどによって支持部５６に固定される。
【００２９】
＜蝶番＞
図５および図６は、柱１４に固定された蝶番１６を説明する図である。図５（ａ）は蝶番１６が柱１４に固定された状態を示す正面図、同図（ｂ）〜（ｄ）は上面図である。また、図６（ａ）は蝶番１６と下部ユニット２０の固定の状態を示す背面図であり、図６（ｂ）は蝶番１６と上部ユニット１８の固定の状態を示す背面図である。
【００３０】
蝶番１６は、２つの羽根１６０、１６２を有しており、第１の柱１４Ａは、その下方の第１の面に第１の蝶番１６Ａの一方の羽根１６０が固定され、その上方の第１の面に第３の蝶番１６Ｃの一方の羽根１６０が固定される。また、第２の柱１４Ｂは、その下方の第２の面に第２の蝶番１６Ｂの一方の羽根１６０が固定され、その上方の第２の面に第４の蝶番１６Ｄの一方の羽根１６０が固定される。
【００３１】
つまり図５（ａ）に示すように、島端部以外の１本の柱１４においては、下方の第１の面に第１の蝶番１６Ａの一方の羽根１６０が固定され、第２の面（第１の面の対向面）に第２の蝶番１６Ｂの一方の羽根１６０が固定される。また、柱１４の上方の第１の面に第３の蝶番１６Ｃの一方の羽根１６０が固定され、第２の面に第４の蝶番１６Ｄの一方の羽根１６０が固定される。
【００３２】
各蝶番１６は、柱１４に固定されていない他方の羽根１６２に、柱１４の起立方向に並ぶ複数のねじ穴１６４を有する。また、羽根１６２の長手方向の両端（上下端）に、それぞれ、２個の位置決め部１６６を有する。位置決め部は、羽根１６２の主面から突出する突起部である。
【００３３】
また同図（ｂ）〜（ｄ）に示すように、１本の柱１４に固定された４つの蝶番１６の羽根１６２はそれぞれに、所定の開き角度の範囲内で任意の角度で開くことができる。
またここでは２枚の羽根１６０、１６２はその短手方向の長さ（羽根の幅）が異なっている。より詳細には、同図（ｃ）を参照して、蝶番１６は、芯棒１６８が挿通される羽根１６０、１６２ａの幅は同じであって、一方の羽根１６０をそのまま柱１４に溶接などにより固定し、他方の羽根１６２ａにねじ穴１６４と位置決め部１６６を有する板材１６２ｂを溶接して幅を拡張し、ねじ穴１６４と位置決め部１６６を有する幅広の羽根１６２を構成している。しかし蝶番１６は、板材１６２ｂを用いて幅を拡張する構成でなくてもよい。つまり、芯棒に挿通される羽根の幅が同じ（いずれの羽根も、ねじ穴１６２ａ等が形成できる程度に幅広である）蝶番１６を用いてもよい。また、芯棒１６８に挿通される羽根の幅が非対称の蝶番１６であってもよい。
【００３４】
図６（ａ）に示すように、下部ユニット２０は、遊技機島１０の長手方向Ｌにおける両端部がそれぞれ第１の蝶番１６Ａの羽根１６２と、第２の蝶番１６Ｂの羽根１６２に固定される。より詳細には、下部ユニット２０の腰板２０２は、その両端部に、位置決め孔２０２Ａが設けられている。位置決め孔２０２Ａは、蝶番１６の羽根１６２に設けられた位置決め部１６６と対応して柱１４の起立方向に沿って上下に２か所ずつ設けられており、腰板２０２の位置決め孔２０２Ａに羽根１６２の位置決め部１６６を嵌合させることで、腰板２０２と蝶番１６（すなわち柱１４）との鉛直方向（取り付け高さ）および水平方向の位置決めと仮止めが可能となる。そして、羽根１６２のねじ穴１６４を介して、腰板２０２と羽根１６２をねじにより固定する。腰板２０２は、このようにして柱１４に固定されるが、この状態で蝶番１６の角度は固定されておらず、当該角度は、蝶番１６に許容される開き角度の範囲内で自在となっている。
【００３５】
つまり、下部ユニット２０（腰板２０２）は、一方の柱１４を中心とした場合、当該柱１４の周りに蝶番１６の開き角度の範囲内で回転可能となるように柱１４に取り付けられる（図５（ｂ）〜（ｄ）参照）。２つの遊技機島ユニット１２を隣合せで配置する場合には、３本の柱１４のうち中央の柱１４に対して、２つの下部ユニット２０の回転角度をそれぞれ選択することができる。上面視において、中央の柱１４を中心として、２つの下部ユニット２０でなす角度が１８０度であれば、２つの下部ユニット２０は直線状に配置することができ（図５（ｂ））、２つの下部ユニット２０でなす角度が１８０度以外であれば、２つの下部ユニット２０は互いに屈曲して配置することができる（図５（ｃ）（ｄ））。
【００３６】
また、柱１４の第１の蝶番１６Ａおよび第２の蝶番１６Ｂの上方には、膳板支持部材２１０が溶接などにより固定されている。膳板支持部材２１０は、柱１４または蝶番１６と同一材料などにより構成される。膳板支持部材２１０は、遊技機島１０の正面視において、Ｌ字状（ここでは隣り合うひな檀ユニット２０４に共用とするため、Ｌ字状を背向させた逆Ｔ字状）を呈し、ひな檀ユニット２０４（ひな檀２０８）の長手方向Ｌの両端部分において、ひな檀２０８を下面と側面の２面で支持する。このように、ひな檀ユニット２０４は、長手方向Ｌの両端部を２面で支持されることによって適切な位置に位置決めされ、膳板支持部材２１０に設けられたねじ穴を介してねじ止めされて柱１４に固定される。
【００３７】
図６（ｂ）に示すように、上部ユニット１８は、遊技機島１０の長手方向Ｌにおける両端部がそれぞれ第３の蝶番１６Ｃの羽根１６２と、第４の蝶番１６Ｄの羽根１６２に固定される。より詳細には、上部ユニット１８は、遊技機島１０の長手方向Ｌの両端部に縦材１８６を有している。そして縦材１８６には、遊技機島ユニット１２の背面側に、柱１４の起立方向に沿って連続する位置決め溝１８６Ａが設けられている。この位置決め溝１８６Ａに羽根１６２の２か所の位置決め部１６６を嵌合させることで、上部ユニット１８と蝶番１６（すなわち柱１４）との水平方向の位置決め（および仮止め）が可能となる。また、鉛直方向（上部ユニット１８の取り付け高さ）については、遊技機Ｍの高さに合わせて、上部ユニット１８を位置決め溝１８６Ａの長さの範囲内で上下にスライドさせて位置決めを行う。位置決め溝１８６Ａは連続して形成されているので、遊技機Ｍの高さが異なる場合であっても、遊技機Ｍの高さに応じた適切な高さに位置決めすることができる。そして、羽根１６２のねじ穴１６４を介して、縦材１８６と羽根１６２をねじにより固定する。上部ユニット１８は、このようにして柱１４に固定されるが、この状態で蝶番１６の角度は固定されておらず、当該角度は、蝶番１６に許容される開き角度の範囲内で自在となっている。
【００３８】
つまり、上部ユニット１８は、一方の柱１４を中心とした場合、当該柱１４の周りに蝶番１６の開き角度の範囲内で回転可能となるように柱１４に取り付けられる（図５（ｂ）〜（ｄ）参照）。２つの遊技機島ユニット１２を隣合せで配置する場合には、３本の柱１４のうち中央の柱１４に対して、２つの上部ユニット１８の回転角度をそれぞれ選択することができる。上面視において、中央の柱１４を中心として、２つの上部ユニット１８でなす角度が１８０度であれば、２つの上部ユニット１８は直線状に配置することができ（図５（ｂ））、２つの上部ユニット１８でなす角度が１８０度以外であれば、２つの上部ユニット１８は互いに屈曲して配置することができる（図５（ｃ）（ｄ））。
【００３９】
なお、上部ユニット１８と下部ユニット２０は、同じ１つの柱１４に対して回転角度が自在であるが、１つの遊技機島ユニット１２に組み立てた場合には、上部ユニット１８と下部ユニット２０の柱１４に対する回転角度は同じ角度となる。
【００４０】
このようにして複数の遊技機島ユニット１２を所定の角度で互いに屈曲して配置することにより、上部ユニット１８を構成する横材（天板１８０、棚板１８２，１８４など）、および下部ユニット２０を構成する腰板２０２や、ひな檀ユニット２０４などの横材が、いずれも直線状または平板状であっても、図１および図２に示すように全体として略曲面状（曲線状）の遊技機島１０（Ｒ島）を構成することができる。つまり、直線状に遊技機島１０を構成する場合と湾曲状に遊技機島１０を構成する場合とで、同じ遊技機島ユニット１２を共用することができる。
【００４１】
また、棒状の柱１４がそれぞれに独立して配置されるとともに、蝶番１６の角度を変化させることで蝶番１６の開き角度の範囲内で所望の角度（屈曲の角度）を選択できるので、Ｒ島１０の屈曲の角度（略湾曲形状の曲率）の自由度が高まる。従来のＲ島の柱構造では湾曲形状の曲率半径に沿うように、ある決まった角度で構成部品（上部ユニットや下部ユニットなど）を支持・固定できる柱が用いられており、Ｒ島の曲率半径が決定しないと柱を製作することができなかった。また、そのようにして製作された柱は、Ｒ島の曲率半径が変化した場合には、採用することができず、Ｒ島の曲率半径に応じてその都度準備する必要があり、在庫として確保しておくことが困難であった。
【００４２】
しかし本実施形態によれば、遊技機島１０の屈曲の角度の自由度が高まるため、Ｒ島１０として実質的な範囲の曲率半径に対応でき、柱１４を予め製作し在庫として確保しておくことができる。よって、受注から施工までの期間を短縮することができる。なお、Ｒ島の曲面の曲率半径は、内周側で隣接する遊技機Ｍを利用する遊技者同士が干渉しない最小の曲率半径以上とし、例えば、３ｍ以上、３００ｍ以下である。
【００４３】
図１に示したように、中島の場合には、遊技機島１０の短手方向Ｓにおいて、第１の遊技機島ユニット列１２Ａと第２の遊技機島ユニット列１２Ｂとが隣り合い、遊技機Ｍが背向するように載置される。そして、本実施形態では、遊技機島１０の長手方向Ｌの少なくとも一部において、第１の遊技機島ユニット列１２Ａの遊技機島ユニット１２の数と、第２の遊技機島ユニット列１２Ｂの遊技機島ユニット１２の数とを異なる数にすることができる。これにより、遊技機島ユニット１２によってＲ島を構成した場合、特にＲ島の外周側において、遊技機Ｍが配置できない無駄な領域の発生を抑えることができる。
【００４４】
図７を参照してさらに説明する。図７は従来の柱構造と本実施形態の柱構造を比較する図であって、いずれも遊技機島（Ｒ島）の上面概要図である。図７（ａ）が、従来のＨ状（または梯子状）の柱１１４によって構成した遊技機島１００であり、同図（ｂ）が本実施形態の遊技機島１０である。また各図の右図に、遊技機島１００、１０の短手方向Ｓ（幅方向）から見た柱の構造を示している。また、これらの遊技機島１００、１０に載置する遊技機Ｍは同サイズとする。
【００４５】
同図（ａ）に示すように、Ｈ状の柱１１４の場合、内周側の柱１１４と外周側の柱１１４が直接的に連結されているため、曲率の大きい内周側（第１列側）と曲率の小さい外周側（第２列側)で、柱１１４の本数が同数（ここでは３本）となる。つまり、本実施形態と同様に、遊技機島１００の長手方向Ｌにおいて、隣り合う２本の柱で区画される遊技機Ｍの載置領域を遊技機島１００の１つの単位（遊技機島ユニット１１２）とした場合、内周側と外周側の遊技機島ユニット１１２の数は、同数（ここでは、２個）となる。この場合、１つの遊技機島ユニット１１２において、外周側の隣り合う柱の間隔（柱間の円弧の長さ）が内周側の２倍以上あれば、内周側の２倍の台数の遊技機Ｍを載置することも可能であるが、常にそれだけの十分なスペースが確保できるとは限らない。
【００４６】
つまり、同図（ａ）に示すように、外周側において隣り合う柱１１４の間隔が、内周側の柱１１４の間隔より広いにもかかわらず、内周側において載置する遊技機Ｍの台数と同数しか配置できない場合には、外周側において、遊技機Ｍが配置できない無駄なスペースが大きく生じることになる。一方、無駄なスペースをなるべく小さくしようとすると、Ｒ島として所望の曲面が得られないなど、遊技機島１００のレイアウト上、限界がある。
【００４７】
これに対し、同図（ｂ）に示すように本実施形態では、独立した棒状の柱１４を、それぞれに独立したベース部材５０に固定するため、各柱１４を任意の位置に配置することができる。したがって、内周側の第１の遊技機島ユニット列１２Ａでは、柱１４を３本固定して、遊技機島ユニット１２の数を２つとし、外周側の第２の遊技機島ユニット列１２Ｂでは、柱１４を４本固定して、遊技機島ユニット１２の数を３つにすることが可能となる。つまり、同図（ａ）に示す遊技機島１００と同じ床面積であっても、外周側において遊技機Ｍを多く配置することができる（ここでは、１つの遊技機島ユニット１２、１１２に１台の遊技機Ｍを配置した場合、同図（ａ）では４台に対し、同図（ｂ）では５台配置できる）。なお、ここでは１つの遊技機島ユニットにつき１台の遊技機Ｍを配置する場合を例示しているが、１つの遊技機島ユニットにつき複数台を配置する場合も同様である。
【００４８】
このように、柱１４を独立した構造とすることにより、限られた遊技場の床面積を有効に活用することができる。
【００４９】
また、本実施形態では、柱１４が独立した構造であっても、十分な強度を得ることができる。以下、これについて説明する。
【００５０】
上述のとおり、各柱１４は、遊技場床に固定するベース部材５０、上部ユニット１８、下部ユニット２０に連結されている。また、中島の場合、第１の遊技機島ユニット列１２Ａの腰板２０２と第２の遊技機島ユニット列１２Ｂの腰板２０２の間の空間は、遊技機Ｍから排出された遊技媒体を回収する回収樋（不図示）が配置されている。更に、第１の遊技機島ユニット列１２Ａの上部ユニット１８と第２の遊技機島ユニット列１２Ｂの上部ユニット１８の間の空間は、遊技機Ｍに対して遊技媒体を補給する補給樋（不図示）が配置されている（壁島の場合は、遊技機島ユニット列と壁側の列との間に貯留タンク、回収樋、補給樋が配置される）。したがって、貯留タンク、回収樋や補給樋等がスペーサとなり、遊技機島１０として組み立てた状態では、変形しないように固定することができる。
【００５１】
更に、本実施形態では、隣り合う遊技機島ユニット１２を補強材３０で連結することにより、遊技機島１０の強度を更に高めている。
【００５２】
＜補強材＞
図８および図９を参照して補強材３０について説明する。図８は天板１８０に補強材３０を取り付ける場合の概要図であり、図８（ａ）が補強材３０を取り付けた上面図、同図（ｂ）が補強材３０を取り付ける前の状態の外観斜視図、同図（ｃ）が補強材３０を取り付けた後の外観斜視図である。また、図９は、棚地板１８４に補強材３０を取り付ける場合の概要図であり、図９（ａ）が補強材３０を取り付けた棚地板１８４を下方から見た下面図、同図（ｂ）が補強材３０を取り付ける前の状態の外観斜視図、同図（ｃ）が補強材３０を取り付けた後の外観斜視図である。
【００５３】
補強材３０は、長手方向Ｌにおいて隣り合う少なくとも一部の遊技機島ユニット１２の、上部ユニット１８の横材（この例では天板１８０）同士を連続して覆う板状部材である。
【００５４】
補強材３０は、２つの遊技機島ユニット１２の隣接部分に設けられる。ここでは、Ｒ島の補強材３０を例示しており、Ｒ島の湾曲（または屈曲）に合わせて屈曲した形状を有している。
【００５５】
図８に示すように、補強材３０は例えば、くの字状に切り出した細板で構成することができる。補強材３０は、隣り合う遊技機島ユニット１２の第１の横材（例えば、天板１８０）を連続して覆うように配置され、ねじ孔３０Ａを介してねじ止めするなどしてそれぞれの天板１８０に固定される。補強材３０は、遊技機島ユニット１２の前面側（内周側）または背面側（外周側）のいずれか一方のみに設けてもよいし、図示の如く他の補強材３２を追加してもよい。他の補強材３２は例えば、補強材３０の形に添うようにくの字状に切り出した細板で構成されたものであり、ここでは、２つの補強材３０、３２を組み合わせるように、前面側（内周側）および背面側（外周側）に設けている。また、前面側から背面側にわたる幅広の１つの補強材３０を設けてもよい。
【００５６】
また図９に示すようにくの字状の補強材３０の屈曲部分において外側に突出する凸部３０２を設けてもよい。
【００５７】
同図に示すように、補強材３０は、遊技機島ユニット１２の第３の横材（例えば、棚地板１８４）を連続して覆うように配置され、ねじ孔３０Ａを介してねじ止めするなどしてそれぞれの棚地板１８４に固定される。補強材３０は、図示の如く遊技機島ユニット１２の前面側（内周側）または背面側（外周側）のいずれか一方のみに設けてもよいし、２つの補強材３０を前面側（内周側）および背面側（外周側）に設けてもよい。なお、この例では、補強材３０の凸部３０２と噛み合う凹部３４２を有する補助板材３４を設けているが、補助板材３４は設けなくてもよい。
【００５８】
補強材３０は、上部ユニット１８を構成する横材のうち少なくとも１つの横材に固定するように設けられるが、上述のように例えば、天板１８０と棚板（棚地板１８４）の複数の横材をそれぞれ補強材３０によって連結固定することにより、より遊技機島１０の強度を高めることができる。
【００５９】
また補強材３０の形状は、全て同じ形状（図８のみまたは図９）で構成してもよいし、図８や図９のように異なる形状の補強材３０を混在させてもよい。
【００６０】
また、ここではＲ島の補強材３０を例に説明したが、直線状の遊技機島であっても同様であり、その場合、補強材３０は屈曲させる必要はなく、短冊状のものを利用できる。さらに、補強材３０は、板状部材に限らず他の材質でも良く、また、固定はねじ以外に接着剤等の固着できるものでも良い。
【００６１】
更に図示は省略するが、柱１４のそれぞれの位置を決定して遊技場床に固定した後に、遊技機島ユニット列１２Ａ、１２Ｂ間を連結する補強部材（木材や金属部材など）を設けてもよく、これにより遊技機島１０の強度を増すことができる。
【００６２】
＜遊技機島の施工法＞
次に、上述の遊技機島１０の施工法の一例について説明する。なお、以下の説明は中島の説明であるが、壁島についても基本的には同様である。また、この例では、Ｒ島を構成する場合を例に説明するが、直線状の遊技機島１０であっても同様である。
【００６３】
まず、図１０に示すように、遊技場床に記したガイド（不図示）に従い、ガイド板６０を配置する。ガイド板６０は、複数のベース部材５０の配置位置を矩形状に開口した開口部６０Ａを有する、例えばベニヤ板であり、遊技場床に接着部材で仮止めされる。ベース部材５０すなわち開口部６０Ａの配置によって、遊技機島１０のレイアウトが決定し、例えばＲ島を構成する場合には、所望の湾曲形状になるように、長手方向Ｌに所定間隔を隔てて開口部６０Ａを設ける。なお、上述のとおり柱１４（ベース部材５０）の配置位置（隣り合う柱１４の離間距離）は長手方向Ｌにおいて一定の距離とする必要はなく、Ｒ島の形状と、遊技機Ｍの配置台数に応じて自在に選択することができる。また直線状の遊技機島１０の場合には、開口部６０Ａを直線上に配置する。
【００６４】
次に、ガイド板６０に従ってベース部材５０を配置し、ベース部材５０をボルトなどによって遊技場床に固定する。ベース部材５０は個々の柱１４に対応しており、柱１４と同数が、遊技場床に固定される。そしてここでは不図示の柱受け部に柱の下端を挿入し、柱受け部を支持部５６に位置合わせしてベース部材５０に固定する。これにより、柱１４は、遊技場床の所定の位置に固定される（図２参照）。
【００６５】
それぞれの柱１４には、蝶番１６と膳板支持部材２１０が固定されている。そしてこの柱１４に対して、下部ユニット２０を固定する（図６（ａ）参照）。すなわち、ひな檀ユニット２０４を膳板支持部材２１０に固定するとともに、腰板２０２の両端を第１の蝶番１６Ａと第２の蝶番１６Ｂに固定する。蝶番１６の開き角度は固定されておらず、自在となっているので、遊技機島１０の長手方向Ｌにおいて隣り合う２本の柱１４の間に、柱１４の蝶番１６に従って腰板２０２を取り付けてゆくことで、隣り合う腰板２０２が屈曲しながら長手方向Ｌに連続し、全体としてほぼ湾曲に連結される。同様に、ひな檀ユニット２０４も全体としてほぼ湾曲に連結される（図１１）。
【００６６】
その後、柱１４の上方に上部ユニット１８を固定する。すなわち、上部ユニット１８の両端を第３の蝶番１６Ｃと第４の蝶番１６Ｄに固定する（図６（ｂ）、図２参照）。このようにして、上部ユニット１８の床面に対する位置決めを容易かつ正確に行なうことができる。そして上部ユニット１８が正しい位置にあると、補給樋の収設等の付帯工事を正確に行なうことができ、取付不良等に起因するトラブルの発生を回避可能である。
【００６７】
上部ユニット１８および下部ユニット２０を構成する横部材は、いずれも遊技機島１０の長手方向Ｌにおいて直線状または平面状の形状であるが、各遊技機島ユニット１２が屈曲しながら長手方向Ｌに連続することで、組立後の遊技機島１０は全体として湾曲した形状に構成される（図１参照）。
【００６８】
以上説明したように、本実施形態に係る遊技機島（例えば、遊技機島１０）は、遊技機（例えば、遊技機Ｍ）を載置する複数の遊技機島ユニット（例えば、遊技機島ユニット１２）が隣接して配列される遊技機島であって、前記遊技機島ユニットは、遊技場床に起立固定された第一の柱（例えば、第１の柱１４Ａ）と、該第一の柱から前記配列の長手方向に離間して前記遊技場床に起立固定された第二の柱（例えば、第２の柱１４Ｂ）と、前記第一の柱と前記第二の柱の間に配置されるユニット（例えば、上部ユニット１８）と、前記第一の柱および前記第二の柱にそれぞれ固定される蝶番（例えば、蝶番１６）と、を備え、前記蝶番は、第一の蝶番（例えば、第１の蝶番１６Ａ）と第二の蝶番（例えば、第２の蝶番１６）を含み、前記第一の蝶番は、前記第一の柱に一方の羽根（例えば、羽根１６０）が固定され、前記第二の蝶番は、前記第二の柱に一方の羽根（例えば、羽根１６０）が固定され、前記ユニットは、前記長手方向の両端部がそれぞれ、前記第一の蝶番の他方の羽根（例えば、羽根１６２）と、前記第二の蝶番の他方の羽根（例えば、羽根１６２）とに固定されることを特徴とする、遊技機島である。
【００６９】
本実施形態の遊技機島１０によれば、ユニット（上部ユニット１８または下部ユニット２０）は、柱１４に蝶番１６で固定されており、蝶番１６の開き角度は所定範囲で自在となっているので、複数の遊技機島ユニット１２を蝶番１６の開き角度の範囲内で任意に屈曲して配置することができ、更に遊技機島１０のレイアウト変更に容易に対応することができる。また、遊技機島１０の屈曲の角度を任意に変更できるので、Ｒ島として実質的な範囲の曲率半径に対応でき、予め製作し在庫として確保しておくことができる。よって、受注から施工までの期間を短縮することができる。
【００７０】
また、前記ユニットは、上部ユニット（例えば、上部ユニット１８）および下部ユニット（例えば、下部ユニット２０）を含み、前記蝶番は、第三の蝶番（例えば、第３の蝶番１６Ｃ）と第四の蝶番（例えば、第４の蝶番１６Ｄ）を含み、前記第一の蝶番は、前記第一の柱の下部に前記一方の羽根が固定され、前記第二の蝶番は、前記第二の柱の下部に前記一方の羽根が固定され、前記第三の蝶番は、前記第一の柱の上部に前記一方の羽根が固定され、前記第四の蝶番は、前記第二の柱の上部に前記一方の羽根が固定され、前記下部ユニットは、前記長手方向の両端部がそれぞれ前記第一の蝶番の他方の羽根と、前記第二の蝶番の他方の羽根に固定され、前記上部ユニットは、前記長手方向の両端部がそれぞれ前記第三の蝶番の他方の羽根と、前記第四の蝶番の他方の羽根に固定されるものとしてもよい。
【００７１】
このような構成とすることにより、上部ユニット１８と下部ユニット２０がそれぞれ、柱１４に蝶番１６で固定されており、蝶番１６の開き角度は所定範囲で自在となっているので、複数の遊技機島ユニット１２を蝶番１６の開き角度の範囲内で任意に屈曲して配置することができる。従って、遊技機島１０のレイアウト変更に容易に対応することができる。また、遊技機島１０の屈曲の角度を任意に変更できるので、Ｒ島として実質的な範囲の曲率半径に対応でき、予め製作し在庫として確保しておくことができる。よって、受注から施工までの期間を短縮することができる。また、柱１４の上方と下方のそれぞれにおいて、上部ユニット１８と下部ユニット２０を接続するので、遊技機島１０として組み立てた状態において、その強度を十分に確保することができる。
【００７２】
また、前記蝶番は、少なくとも前記他方の羽根（例えば、羽根１６２）が前記第一の柱の起立方向に長い長蝶番であり、該他方の羽根は、前記起立方向に沿って複数の位置決め部（例えば、位置決め部１６６）を有するものとしてもよい。
【００７３】
このような構成とすることにより、上部ユニット１８または下部ユニット２０の少なくともいずれかを蝶番１６に固定する際の位置決めに、位置決め部１６６を利用することにより、位置決めを容易に行うことができる。また位置決め部１６６は蝶番１６の羽根１６２の長手方向に沿って複数設けられるので、正確な位置決めが可能となる。
【００７４】
また、前記下部ユニットは腰板（例えば、腰板２０２）を含み、該腰板は前記両端部に位置決め孔（例えば、位置決め孔２０２Ａ）が設けられるものとしてもよい。
【００７５】
このような構成とすることにより、下部ユニット２０を蝶番１６に固定する際に、位置決め孔２０２Ａをガイドとすることにより、位置決めを容易に行うことができる。また、蝶番１６の位置決め部１６６に対応させて腰板２０２の位置決め孔２０２Ａを設けることにより、容易かつ正確に位置決めと仮止めを行うことができる。
【００７６】
また、前記上部ユニットは前記両端部にそれぞれ縦材（例えば、縦材１８６）を含み、該縦材には、前記第一の柱の起立方向に沿って連続する位置決め溝（例えば、位置決め溝１８６Ａ）が設けられるものとしてもよい。
【００７７】
このような構成とすることにより、上部ユニット１８を蝶番１６に固定する際に、位置決め溝１８６Ａをガイドとすることにより、位置決めを容易に行うことができる。また、蝶番１６の位置決め部１６６に対応させて縦材１８６の位置決め溝１８６Ａを設けることにより、容易かつ正確に位置決めを行うことができる。更に、位置決め溝１８６Ａは、柱１４の起立方向に連続して設けられるので、遊技機Ｍの高さが異なる場合であっても、遊技機Ｍの高さに合わせて、上部ユニット１８を位置決め溝１８６Ａの長さの範囲内で上下にスライドさせることで、遊技機Ｍの高さに応じた適切な高さに、容易かつ正確に位置決め(および仮止め)することができる。
【００７８】
また、前記長手方向において隣り合う前記複数の遊技機島ユニットの少なくとも一部が互いに屈曲して配置されるものとしてもよい。
【００７９】
このような構成とすることにより、略曲面状に配列された遊技機島１０（Ｒ島）を容易に構成することができる。また、Ｒ島の曲面の曲率の変更や、湾曲の方向の変更、あるいは直線状に配置変換する（あるいは直線状の遊技機島からＲ島への配置変換）など、遊技機島１０のレイアウト変更に容易に対応することができる。
【００８０】
また、ユニットをそれぞれ構成する横材は、直線状または平板状であるものとしてもよい。
【００８１】
このような構成とすることにより、従来と比較して、安価、かつ容易にＲ島を構成することができる。従来の遊技機島では、Ｒ島を構成する場合、遊技機島の構成部品の少なくとも一部を、Ｒ島の曲線に沿う湾曲形状に成形しており、直線状の板材を用いる場合と比較して、部品の加工費用や加工時間、あるいは湾曲した複数の部品の組み立ての時間が掛かるといった問題があった。また、遊技場のレイアウトを変更する場合、特に、Ｒ島の湾曲形状（その曲率）を変更する場合には、遊技機島の構成部品を作成（成形）し直さなければならず、費用や工数が増大するなどしてレイアウト変更が困難であるといった問題もあった。本実施形態によれば、上部ユニットおよび下部ユニットの横材はいずれも直線状または平板状であっても、容易にＲ島を構成することができるため、部品の加工費用や、湾曲した複数の部品の組み立ての時間を抑えることができ、また遊技場のレイアウト変更があった場合も、コストの増加や組み立て工数の増加を抑制できる。
【００８２】
以上、上述の実施形態では、複数の遊技機島ユニット１２でＲ島を構成する場合を例に説明したが、上面視において直線状の遊技機島や、階段状に曲折した遊技機島を構成してもよい。
【００８３】
また、１つの遊技機島ユニット１２に１台の遊技機Ｍを載置する場合を例に説明したが、１つの遊技機島ユニット１２に複数台の遊技機Ｍを載置するものであってもよい。また、中島の場合、遊技機Ｍが背向する２列の遊技機島ユニット列（第１の遊技機島ユニット列１２Ａ、第２の遊技機島ユニット列１２Ｂ）において、載置する遊技機Ｍの台数を異ならせるものであってもよい。
【００８４】
また、各部材の固定には、ねじを用いてねじ止めする場合を例に説明したが、釘打ちや、接着剤で固定してもよいし、これらを併用してもよい。また、固定金具類を使用することもできる。
【００８５】
また、本発明の実施形態に記載された作用および効果は、本発明から生じる最も好適な作用および効果を列挙したに過ぎず、本発明による作用および効果は、本発明の実施形態に記載されたものに限定されるものではない。また、本発明の実施形態に記載した複数の構成のうち、１つの構成に記載している内容を、他の構成に適用することで、より一層、効果を高めることができる場合がある。
【産業上の利用可能性】
【００８６】
本発明に係る遊技機島は、パチンコ機、スロットマシン、又は封入式遊技機などを遊技場に載置する場合に適用することができる。
【符号の説明】
【００８７】
１０  遊技機島
１２  遊技機島ユニット
１２Ａ、１２Ｂ  遊技機島ユニット列
１４  柱
１６  蝶番
１８  上部ユニット
２０  下部ユニット
２０２  腰板
２０４  ひな檀ユニット
【図１】
2015047188.tif 000003
【図２】
2015047188.tif 000004
【図３】
2015047188.tif 000005
【図４】
2015047188.tif 000006
【図５】
2015047188.tif 000007
【図６】
2015047188.tif 000008
【図７】
2015047188.tif 000009
【図８】
2015047188.tif 000010
【図９】
2015047188.tif 000011
【図１０】
2015047188.tif 000012
【図１１】
2015047188.tif 000013